(57)【要約】【課題】    本考案は、土踏まずをマッサージすることができる履物を提供する。【解決手段】    履物１は、つま先部１０ａ、土踏まず部１０ｂ、踵部１０ｃを有すると共に  、弾性部材で形成された長手形状の底部１０を備えた履物１であって、足に当接する土踏まず部１０ｂは、つま先部１０ａから踵部１０ｃに向かって上り勾配となった後、下り勾配に変化する形状であり、土踏まず部１０ｂに対応する底部１０の裏面側の部位に、土踏まず部１０ｂに対応して底部１０の長手方向に長い長手形状の凹み１０ｅが形成されているものである。【選択図】    図４
0003126496.tif 000002
【実用新案登録請求の範囲】
【請求項１】
つま先部、土踏まず部、踵部を有すると共に、弾性部材で形成された長手形状の底部を備えた履物であって、
足に当接する前記土踏まず部は、前記つま先部から前記踵部に向かって上り勾配となった後、下り勾配に変化する形状であり、
前記土踏まず部に対応する前記底部の裏面側の部位に、前記土踏まず部に対応して前記底部の長手方向に長い長手形状の凹みが形成されている
ことを特徴とする履物。
【請求項２】
つま先部に対応する底部の裏面側は、裏面つま先部であり、
土踏まず部に対応する底部の裏面側は、裏面土踏まず部であり、
踵部に対応する底部の裏面側は、裏面踵部であり、
前記裏面土踏まず部は、前記裏面つま先部と前記裏面踵部を接続するものであり、
長手形状の凹みは、前記裏面土踏まず部の中央に形成されると共に、前記裏面つま先部から前記裏面踵部に向かう方向に長く、前記方向を横断する横断方向に短い凹みであり、
前記長手形状の凹みの右側にあって、前記長手形状の凹みに平行で、前記裏面土踏まず部に設けられた第１の長手形状の凹みと、
前記長手形状の凹みの左側にあって、前記長手形状の凹みに平行で、前記裏面土踏まず部に設けられた第２の長手形状の凹みと、
を備えていることを特徴とする請求項１記載の履物。
【請求項３】
つま先部に対応する底部の裏面側は、裏面つま先部であり、
土踏まず部に対応する底部の裏面側は、裏面土踏まず部であり、
踵部に対応する底部の裏面側は、裏面踵部であり、
前記裏面土踏まず部は、前記裏面つま先部と前記裏面踵部を接続するものであり、
長手形状の凹みは、前記裏面土踏まず部の中央に形成されると共に、前記裏面つま先部から前記裏面踵部に向かう方向に長く、前記方向を横断する横断方向に短い凹みであり、
前記長手形状の凹みの前記裏面つま先部から前記裏面踵部に向かう方向の延長線より右側にあって、前記長手形状の凹みに平行で、前記裏面土踏まず部に設けられた第１の長手形状の凹みと、
前記長手形状の凹みの前記裏面つま先部から前記裏面踵部に向かう方向の延長線より左側にあって、前記長手形状の凹みに平行で、前記裏面土踏まず部に設けられた第２の長手形状の凹みと、
を備えていることを特徴とする請求項１記載の履物。
【請求項４】
弾性部材で形成された底部の硬さは、履物を履いている人の体重によって変形する程度に軟らかいことを特徴とする請求項１〜３のいずれか１項に記載の履物。
【請求項５】
弾性部材で形成された底部の硬さは、ゴム硬度計による硬度が４０〜５０であることを特徴とする請求項１〜３のいずれか１項に記載の履物。
【考案の詳細な説明】
【技術分野】
【０００１】
本考案は、履物に係り、特に、土踏まずをマッサージすることができる履物に関する。
【背景技術】
【０００２】
足に当接する土踏まず部を、つま先部から踵部に向かって上り勾配となった後、下り勾配に変化する形状を備え、底部の裏面は平坦な面となった履物がある（例えば、特許文献１参照）。
しかしながら、この履物の土踏まず部は、硬く、歩行する際の体重の移動に伴い変形せず、足の土踏まずを刺激するものの、足の裏をもみほぐすようなマッサージ効果は期待できないという問題点があった。
【特許文献１】実用新案登録第３０８７９００号公報
【考案の開示】
【考案が解決しようとする課題】
【０００３】
本考案は、前記した問題点を除去するようにした履物を提供することを目的としている。
【課題を解決するための手段】
【０００４】
前記した目的を達成するための請求項１記載の履物は、つま先部、土踏まず部、踵部を有すると共に、弾性部材で形成された長手形状の底部を備えた履物であって、足に当接する前記土踏まず部は、前記つま先部から前記踵部に向かって上り勾配となった後、下り勾配に変化する形状であり、前記土踏まず部に対応する前記底部の裏面側の部位に、前記土踏まず部に対応して前記底部の長手方向に長い長手形状の凹みが形成されているものである。
【０００５】
また、請求項２記載の履物は、請求項１記載の履物において、つま先部に対応する底部の裏面側は、裏面つま先部であり、土踏まず部に対応する底部の裏面側は、裏面土踏まず部であり、踵部に対応する底部の裏面側は、裏面踵部であり  、前記裏面土踏まず部は、前記裏面つま先部と前記裏面踵部を接続するものであり、長手形状の凹みは、前記裏面土踏まず部の中央に形成されると共に、前記裏面つま先部から前記裏面踵部に向かう方向に長く、前記方向を横断する横断方向に短い凹みであり、前記長手形状の凹みの右側にあって、前記長手形状の凹みに平行で、前記裏面土踏まず部に設けられた第１の長手形状の凹みと、前記長手形状の凹みの左側にあって、前記長手形状の凹みに平行で、前記裏面土踏まず部に設けられた第２の長手形状の凹みとを備えているものである。
【０００６】
また、請求項３記載の履物は、請求項１記載の履物において、つま先部に対応する底部の裏面側は、裏面つま先部であり、土踏まず部に対応する底部の裏面側は、裏面土踏まず部であり、踵部に対応する底部の裏面側は、裏面踵部であり  、前記裏面土踏まず部は、前記裏面つま先部と前記裏面踵部を接続するものであり、長手形状の凹みは、前記裏面土踏まず部の中央に形成されると共に、前記裏面つま先部から前記裏面踵部に向かう方向に長く、前記方向を横断する横断方向に短い凹みであり、前記長手形状の凹みの前記裏面つま先部から前記裏面踵部に向かう方向の延長線より右側にあって、前記長手形状の凹みに平行で、前記裏面土踏まず部に設けられた第１の長手形状の凹みと、前記長手形状の凹みの前記裏面つま先部から前記裏面踵部に向かう方向の延長線より左側にあって、前記長手形状の凹みに平行で、前記裏面土踏まず部に設けられた第２の長手形状の凹みとを備えているものである。
【０００７】
また、請求項４記載の履物は、請求項１〜３のいずれか１項に記載の履物において、弾性部材で形成された底部の硬さは、履物を履いている人の体重によって変形する程度に軟らかいものである。
【０００８】
また、請求項５記載の履物は、請求項１〜３のいずれか１項に記載の履物において、弾性部材で形成された底部の硬さは、ゴム硬度計による硬度が４０〜５０である。
【考案の効果】
【０００９】
請求項１記載の履物によれば、足に当接する土踏まず部は、つま先部から  踵部に向かって上り勾配となった後、下り勾配に変化する形状で、弾性部材で形成されているため、歩行する際の体重の移動に伴い、履物の土踏まず部の変形、復元を繰り返すことにより、足の土踏まずをマッサージし、特に、履物の土踏まず部に対応する底部の裏面側の部位は、履物の土踏まず部に対応して長手形状の凹みが形成されている分、履物の土踏まず部の変形が大きく、足の土踏まずをよりマッサージすることができる。
【００１０】
また、請求項２記載の履物によれば、前述した請求項１記載の発明の効果に加え、底部の裏面側には、長手形状の凹みに加え、該長手形状の凹みに平行な第１、第２の長手形状の凹みを備えているため、歩行する際の体重の移動に伴う履物の土踏まず部の変形が大きく、足の土踏まずをよりマッサージすることができる。
【００１１】
また、請求項３記載の履物によれば、前述した請求項１記載の発明の効果に加え、底部の裏面側には、長手形状の凹みに加え、該長手形状の凹みに平行な第１、第２の長手形状の凹みを備えているため、歩行する際の体重の移動に伴う履物の土踏まず部の変形が大きく、足の土踏まずをよりマッサージすることができる。
【考案を実施するための最良の形態】
【００１２】
本考案の一実施例の履物を図面を参照して説明する。
図１〜図１０において、１は履物で、履物１は、つま先部１０ａ、土踏まず部１０ｂ、踵部１０ｃを有すると共に、弾性部材で形成された長手形状の底部１０を備えている。
底部１０は、弾性部材で形成され、例えば、材質は、ウレタン、ＥＶＡ樹脂等で、履物１を履いている人の体重によって変形する程度に軟らかく、底部１０の硬さの硬度 は、ゴム硬度計による硬度が４０〜５０である。
履物１は、例えば、サンダルで、２０は、甲バンドで、甲バンドは、概略的に、第１の甲バンド部材２０ａ、第２の甲バンド部材２０ｂで構成され、第１の甲バンド部材２０ａには、開口部２０ｃが設けられ、また、第２の甲バンド部材２０ｂの表側に帯び部材２０ｄが設けられ、この帯び部材２０ｄを開口部２０ｃに通して折り返し、更に、折り返した帯び部材２０ｄの先端の裏面側に設けた面状ファスナー（図示せず）を帯び部材２０ｄの根本側に設けた面状ファスナー（図示せず）に付着させるようにしている（図１参照）。
【００１３】
また、足に当接する土踏まず部１０ｂは、図２に示すように、つま先部１０ａから踵部１０ｃに向かって上り勾配となった後、下り勾配に変化する形状であり、土踏まず部１０ｂに対応する底部１０の裏面側の部位に、土踏まず部１０ｂに対応して底部１０の長手方向に長い長手形状の凹み１０ｅが形成されている（図４、図６及び図７参照  。
【００１４】
従って、上述した履物１によれば、足に当接する土踏まず部１０ｂは、つ  ま先部１０ａから踵部１０ｃに向かって上り勾配となった後、下り勾配に変化する形状で、弾性部材で形成されているため、歩行する際の体重の移動に伴い、履物１の土踏まず部１０ｂが変形、復元を繰り返すことにより、足の土踏まず１０ｂをマッサージし、特に、履物１の土踏まず部１０ｂに対応する底部１０の裏面側の部位に、履物１の土踏まず部１０ｂに対応して長手形状の凹み１０ｅが形成されている分、履物１の土踏まず部１０ｂの変形が大きく、足の土踏まずをよりマッサージすることができる（図１０参照）。
【００１５】
また、図４に示すように、つま先部１０ａに対応する底部１０の裏面側は、裏面つま先部１０ａ’であり、土踏まず部１０ｂに対応する底部１０の裏面側は  、裏面土踏まず部１０ｂ’であり、踵部１０ｃに対応する底部１０の裏面側は  、裏面踵部１０ｃ’であり、裏面土踏まず部１０ｃ’は、裏面つま先部１０ａ’と裏面踵部１０ｃ’を接続するものとなっている。
長手形状の凹み１０ｅは、裏面土踏まず部１０ｂ’の中央に形成されると共に、裏面つま先部１０ａ’から裏面踵部１０ｃ’に向かう方向に長く、前記方向を横断する横断方向に短い凹みとなっている。
また、底部１０の側から見て、長手形状の凹み１０ｅの右側にあって、長手形状の凹み１０ｅに平行な第１の長手形状の凹み１０ｆが、長手形状の凹み１０ｅの左側にあって、長手形状の凹み１０ｅに平行な第２の長手形状の凹み１０ｇが、それぞれ裏面土踏まず部１０ｂ’に設けられている。
長手形状の凹み１０ｅに加え、該長手形状の凹み１０ｅに平行な第１、第２の長手形状の凹み１０ｆ、１０ｇを底部１０の裏面側に備えているため、歩行する際の体重の移動に伴う履物の土踏まず部１０ｂの変形が大きく、足の土踏まずをよりマッサージすることができる。
【００１６】
なお、上述した実施例においては、長手形状の凹み１０ｅの右側に第１の長手形状の凹み１０ｆ、長手形状の凹み１０ｅの左側に第２の長手形状の凹み１０ｇを設けたが、図示しないが、長手形状の凹み１０ｅの裏面つま先部１０ａ’から裏面踵部１０ｃ’に向かう方向の延長線より右側にあって、長手形状の凹み１０ｅに平行で、裏面土踏まず部１０ｂ’に第１の長手形状の凹みを、
長手形状の凹み１０ｅの裏面つま先部１０ａ’から裏面踵部１０ｃ’に向かう方向の延長線より左側にあって、長手形状の凹み１０ｅに平行で、裏面土踏まず部１０ｂ’に第２の長手形状の凹みをそれぞれ設けるようにしても、同様な効果を有する。
【図面の簡単な説明】
【００１７】
【図１】図１は、本考案の一実施例の履物の概略的側面図である。
【図２】図２は、図１の履物の概略的断面図である。
【図３】図３は、図１の履物の甲バンドを開いた状態の概略的平面図である。
【図４】図４は、図３の履物の概略的底面図である。
【図５】図５は、図３の５−５線の概略的断面図である。
【図６】図６は、図３の６−６線の概略的断面図である。
【図７】図７は、図３の７−７線の概略的断面図である。
【図８】図８は、図３の８−８線の概略的断面図である。
【図９】図９は、図３の９−９線の概略的断面図である。
【図１０】図１０は、図１の履物の装着状態の概略的側面図である。
【符号の説明】
【００１８】
１      …………履物
１０    …………底部
１０ａ  …………つま先部  
１０ｂ  …………土踏まず部
１０ｃ  …………踵部
１０ｅ  …………長手形状の凹み
【図１】
0003126496.tif 000003
【図２】
0003126496.tif 000004
【図３】
0003126496.tif 000005
【図４】
0003126496.tif 000006
【図５】
0003126496.tif 000007
【図６】
0003126496.tif 000008
【図７】
0003126496.tif 000009
【図８】
0003126496.tif 000010
【図９】
0003126496.tif 000011
【図１０】
0003126496.tif 000012